(57)【特許請求の範囲】
【請求項１】
多数の線状体を相互に交差させ、その交差点の少なくとも一部を相互に接着させてうねり状凹凸を形成した立体網状体を、不織布の一面側に貼合した不透水性フィルム層上に積層し、上記網状体の一部が不織布の一面側に貼合した不透水性フィルム層上に融着しているとともに、上記不織布の他面側に防水層を形成したことを特徴とする防水シート。
【請求項２】
多数の線状体を相互に交差させ、その交差点の少なくとも一部を相互に接着させてうねり状凹凸を形成した立体網状体を、内部に不透水性フィルム層を介在した不織布の一面側に積層し、上記網状体の一部にて不織布に融着させるとともに上記不織布の他面側に防水層を形成したことを特徴とする防水シート。
【発明の詳細な説明】
【０００１】
【発明の属する技術分野】
この発明は、地上から削孔し、削孔部をセメント系材料、薬液、鋼材等を用いて固め形成した地下連続壁面、特に湧水のある地下連続壁面の表面に施工して、連続壁面からの湧水を立体網状体を伝わせて落下せしめるとともに、後打ちコンクリートとも密着性がよく、しかも後打ちコンクリート面への水の浸透をも防ぐことのできる防水シートに関するものである。
【０００２】
【従来の技術】
湧水がある地下連続壁面においては、従来、止水処理とビニルパイプ等の併用によるか、連続壁面にポリエチレン等の合成樹脂シートまたは不織布を貼り付けて導水する方法や、立体網状体と防水シートを組み合わせた立体網状体付き防水シートを用いること（特開昭６３−３１５８００号公報、特開平１−１１１９９９号公報）などが実施されている。
【０００３】
【発明が解決しようとする課題】
しかしながら、上記の止水処理とビニルパイプ等の併用による導水方法は、非常に手間がかかることが問題であり、ポリエチレン等の合成樹脂シートを貼り付ける方法は、合成樹脂シート上へ他材料、例えば防水材を塗工した場合、合成樹脂シートとの接着力が小さくて一体化が芳しくないという欠点があり、また不織布を貼り付けた場合には裏面に水が溜まりやすい欠点がある。さらに、立体網状体付き防水シートを用いる時は、シート間に継ぎ目ができ、このために防水層の連続性が損なわれるという欠点があった。
【０００４】
この発明は、上記に鑑みて、地下連続壁面における湧水面への防水施工を可能にするとともに、後打ちコンクリート面との密着性もよく、しかも地下水のコンクリート面への浸透をも防ぐことのできる防水シートを提供することを目的とするものである。
【０００５】
【課題を解決するための手段】
即ち、この発明の防水シートのうち請求項１に記載の発明は、多数の線状体を相互に交差させ、その交差点の少なくとも一部を相互に接着させてうねり状凹凸を形成した立体網状体を、不織布の一面側に貼合した不透水性フィルム層上に積層し、上記網状体の一部が不織布の一面側に貼合した不透水性フィルム層上に融着しているとともに、上記不織布の他面側に防水層を形成したものである。
【０００６】
また、請求項２に記載の発明は、多数の線状体を相互に交差させ、その交差点の少なくとも一部を相互に接着させてうねり状凹凸を形成した立体網状体を、内部に不透水性フィルム層を介在した不織布の一面側に積層し、上記網状体の一部にて不織布に融着させるとともに上記不織布の他面側に防水層を形成したものである。
【０００８】
そして、上記請求項１、２において、防水層は合成樹脂エマルジョンに水硬性無機材、骨材、あるいはさらに遷移金属水酸化物を配合した防水材を用いて形成するものであり、また水硬性無機材としてアルミン酸石灰等のセメント系骨材を用いることを特徴とするものである。
【００１１】
【発明の実施の形態】
要するに、この発明の防水シートは、不織布の一面側に立体網状体を融着し、他面側に防水層を形成した構造であり、この防水シートの立体網状体を地下構造物の連続壁面に接するようにして張り付けることにより、地下連続壁面からの湧水を立体網状体を伝わせて下方へ落下させ、連続壁面下部に設けた側溝の導水路に導き、外部に排出させることを特徴とする。
【００１２】
また、この防水シートの内側には後打ちコンクリートが施されるが、防水シートの内面に形成されている防水層はコンクリートとの密着性が良好である。また、この防水層は、それを形成するに使用する防水材の主材である合成樹脂エマルジョンとして、エチレン−酢酸ビニル共重合体のような親水性のエマルジョンを用いることにより、一層コンクリートとの密着性が増大するのである。しかもこの防水層は吸水して膨潤作用を行う特性を有しているので、もし地下水が防水シートの不織布層を浸透して防水層に接触し、防水層がコンクリート躯体の亀裂等により破損した場合でも、上記した特性により浸透水を遮水して後打ちコンクリート内への水の浸入を防ぐのである。
【００１３】
地下構造物の連続壁面に張りつけて用いる上記のような構造の防水シートのほかに、一面側に立体網状体を融着した不織布を、その立体網状体面にて地下構造物の連続壁面に張り付け、その後不織布の他面（内面）側に防水層を形成する防水工法もある。
【００１４】
【実施例】
以下、この発明の実施例を図に基づいて説明する。図１はこの発明に係る防水シートの一例を示すもので、該防水シート１は不織布２の一面側に、多数の線状体を相互に交差させてうねり状凹凸を形成した立体網状体３を融着にて積層し、他面側に防水層４を形成したものである。
【００１５】
上記の防水シート１において、立体網状体３は図４に示すように、多数の線状体３ａが相互に交差し、それらの交差点３ｂで融着して水平方向と厚み方向に延びるうねり状凹凸を形成するものであり、このような不織布を地下構造物の連続壁面に貼合すると、これらの立体網状体３が地下構造物の連続壁面に接触するので、湧水がこの立体網状体３を伝って下方へ落下するのである。
【００１６】
図２はこの発明の防水シートの他例の構造を示すもので、立体網状体３を不織布２の一面側にラミネートされている不透水性フィルム層５上に融着にて積層し、不織布の他面側に防水層を形成したものであって、これによって不織布表面を濡らすことなく湧水を立体網状体を伝わせて落下させることができる。
【００１７】
図３はこの発明の防水シートのさらに他の例を示すものであって、不織布２の内部に不透水性フィルム層５を介在させたものであり、立体網状体３を伝って落下する湧水が不織布面を濡らす場合があっても、不透水性フィルム層５が遮水機能を発揮して不織布層２の深部（防水層４に近い側）にまでの浸透を防ぐことができるのである。
【００１８】
この発明において、不織布としては、ヤシ繊維、シュロ等の耐蝕性天然繊維あるいはポリエチレン、ポリプロピレン、ポリエステル、ポリアミド等の合成繊維またはこれらの混合物からなる繊維をシート状に展延したのち、ニードルパンチ等の方法によって強化したもの、あるいはスパンボンド方式によって得たものが用いられる。
【００１９】
また、このような不織布の一面側に貼合する、あるいは内部に介在させる不透水性フィルムとしては、ポリエチレンフィルムやポリプロピレンフィルム等の合成樹脂フィルム、あるいはアルミ等の金属フィルムを用いればよい。
【００２０】
上記した図４に示す立体網状体３は、ポリアミド、ポリエステル、ポリエチレン、ポリプロピレン等の合成樹脂細線、ポリ塩化ビニル等の合成樹脂で被覆した金属線などの多数の線状体３ａを相互に交差させながら水平方向ならびに厚み方向に不規則に方向を変えて延ばし、これら線状体３の多数の交差点３ｂで相互に接着させてうねり状凹凸を形成せしめたものである。このような立体網状体を構成する線状体３ａの太さは０．５〜３ｍｍが好ましく、網状体３の網目の大きさは０．１〜２０ｍｍ、網状体３の高さは１〜３０ｍｍが適当である。
【００２１】
また、不織布の他面側に形成される防水層は、合成樹脂エマルジョンを主体とする防水材を塗工することで得られるものである。この防水層は、後打ちコンクリートとの密着性がよく、地盤の厚密沈下による防水層破断を防ぎ、また万が一コンクリート面に亀裂が入り、防水層が破断した場合にも防水層自体が水分を吸収して膨潤運動を行い、亀裂個所を閉鎖して漏水を防ぐことができるのである。
【００２２】
このような働きをする防水層を形成する防水材は、合成樹脂エマルジョンを皮膜形成主成分とし、これに水硬性無機材、骨材等を配合して得られるエマルジョン水和物を多量に生成したエマルジョン混和物であって、合成樹脂エマルジョンとしては上述したようにコンクリートとの密着性をより高めることからエチレン−酢酸ビニル共重合体のような親水性のエマルジョンを用いることが好ましい。
【００２３】
また、水硬性無機材としては、水和反応が短時間で起こり、塗工した防水材の乾燥促進と安定性維持に寄与するアルミン酸石灰が適当である。骨材（硅砂）は防水層としての皮膜厚みの確保、皮膜強度の向上をはかるために用いられる。さらに、遷移金属の水酸化物はエマルジョンとアルミン酸石灰との結合を促進させてアルミン酸石灰の効果を一段と高めて防水層としての皮膜性能を向上させるものであり、銅、マンガン、鉄、亜鉛等の水酸化物が用いられる。
【００２４】
上記のような構成のこの発明の防水シートの地下連続壁面への貼付は、該壁面表面の極端な凹凸を削って滑らかな面としたのち、上記防水シートの立体網状体面を連続壁面に密着させながら座金をセットした釘またはコの字形金具等を用いて行えばよい。
【００２５】
防水工法として、例えば地上から削孔し、セメント系材料、薬液、Ｈ形鋼等により形成した地下連続壁面の表面の極端な凹凸を削って滑らかな面としてから、一面側に立体網状体を融着した不織布の立体網状体面を連続壁面に密着させながら座金をセットした釘またはコの字形金具等を用いて貼り付けたのち、上記不織布の表面全面に上記した防水材を刷毛塗りまたは吹付けにより塗工し、防水層を形成するものがある。
【００２６】
上記の防水工法によれば、地下連続壁面に複数枚の不織布を貼付した場合であっても、それらの継ぎ目も防水材が被覆されるので、複数枚の不織布全面に亘ってシームレスな防水層を形成することができるのである。
【００２７】
上記にて複数枚の不織布全面にシームレスに形成した防水層面は、後打ちされるコンクリートとの密着性が良好であり、たとえ土砂の圧密沈下によりコンクリート躯体と土砂とにずれが生じても、防水層は土砂とともに沈下せずコンクリート躯体側に密着して残るため、防水層は地下水を遮水してコンクリート面への水の浸入を防ぐことができるのである。
【００２８】
【発明の効果】
以上説明したように、この発明の防水シートは、湧水の多い地下連続壁面に施工することにより、湧水を立体網状体を伝わせて下方へ落下させることができ、また継ぎ目のない連続防水層の形成を可能にし、さらに後打ちコンクリート面に対しては防水層を密着させることにより充分な防水機能を発揮することができるのである。
【図面の簡単な説明】
【図１】この発明の防水シートの一実施例を示す断面図である。
【図２】この発明の防水シートの他の実施例を示す断面図である。
【図３】この発明の防水シートのさらに他の実施例を示す断面図である。
【図４】図１〜４の防水シートで用いる立体網状体の一部省略拡大平面図である。
【符号の説明】
１  防水シート
２  不織布
３  立体網状体
３ａ  線状体
３ｂ  交差点
４  防水層
５  不透水性フィルム層
【図１】
0004096074.tif 000002
【図２】
0004096074.tif 000003
【図３】
0004096074.tif 000004
【図４】
0004096074.tif 000005